(57)【要約】【課題】アイコンを配置するための領域が不足することを抑制可能な技術を提供することを目的とする。【解決手段】ナビゲーション装置１は、左座席の方向にて視認可能な左用画像と、右座席の方向にて視認可能な右用画像とを一つの画面上に表示可能なスプリットビュー表示部２を制御する。左用アイコンの表示領域の一部と、右用アイコンの表示領域の一部とが、画面上において互いに重ねて配置される。ナビゲーション装置１が備える制御部１４は、タッチパネル３からの出力信号に基づいて、左用アイコンと右用アイコンとの重複領域に対する操作が実施されたと判定された場合には当該操作を無効にする。【選択図】図１
2015108984.tif 000002
【特許請求の範囲】
【請求項１】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
アプリケーションを実行する際に操作される前記第１画像内の第１アイコンの表示領域の一部と、アプリケーションを実行する際に操作される前記第２画像内の第２アイコンの表示領域の一部とが、前記画面上において互いに重ねて配置され、
アプリケーションの機能を実行するための前記第１画像に対する操作と、アプリケーションの機能を実行するための前記第２画像に対する操作とを一律に受け付ける入力部からの出力信号に基づいて、前記第１アイコンと前記第２アイコンとの重複領域に対する操作が実施されたと判定された場合には当該操作を無効にする制御部
を備える、表示制御装置。
【請求項２】
請求項１に記載の表示制御装置であって、
前記制御部は、
前記入力部からの出力信号に基づいて、前記重複領域を除く前記第１アイコンの表示領域に対する操作、または、前記重複領域を除く前記第２アイコンの表示領域に対する操作が実施されたと判定された場合には当該操作を有効にする、表示制御装置。
【請求項３】
請求項２に記載の表示制御装置であって、
前記制御部は、
前記入力部からの出力信号に基づいて、前記重複領域に対する操作と、前記重複領域を除く前記第１アイコンの表示領域に対する操作との両方が実施されたと判定された場合には、前記第１アイコンに対する操作を有効にし、かつ、
前記入力部からの出力信号に基づいて、前記重複領域に対する操作と、前記重複領域を除く前記第２アイコンの表示領域に対する操作との両方が実施されたと判定された場合には、前記第２アイコンに対する操作を有効にする、表示制御装置。
【請求項４】
請求項１乃至請求項３のいずれかに記載の表示制御装置であって、
前記制御部は、
前記第１画像内において、前記重複領域を含む第１領域を識別可能に表示させる、表示制御装置。
【請求項５】
請求項１乃至請求項４のいずれかに記載の表示制御装置であって、
前記制御部は、
前記第２画像内において、前記重複領域を含む第２領域を識別可能に表示させる、表示制御装置。
【請求項６】
請求項１乃至請求項３のいずれかに記載の表示制御装置であって、
前記制御部は、
前記入力部からの出力信号に基づいて、前記第１アイコンを操作する直前の行為として予め定義された第１行為が実施されたまたは実施中であると判定された場合には、前記第１画像において、前記重複領域を含む第１領域を識別可能に表示させる、表示制御装置。
【請求項７】
請求項１乃至請求項４のいずれかに記載の表示制御装置であって、
前記制御部は、
前記入力部からの出力信号に基づいて、前記第２アイコンを操作する直前の行為として予め定義された第２行為が実施されたまたは実施中であると判定された場合には、前記第２画像において、前記重複領域を含む第２領域を識別可能に表示させる、表示制御装置。
【請求項８】
請求項１乃至請求項３のいずれかに記載の表示制御装置であって、
前記制御部は、
前記入力部からの出力信号に基づいて、指示体と前記入力部との間の距離が予め定められた閾値以下になったと判定された場合に、前記第１アイコン及び前記第２アイコンを前記表示部に表示させ、
前記重複領域は、前記第１アイコン及び前記第２アイコンが表示される前に前記表示部にて表示されていた第３アイコンを含み、
前記第３アイコンの表示領域を除く前記第１アイコンの表示領域の全部と、前記第３アイコンの表示領域を除く前記第２アイコンの表示領域の全部とが前記表示部の画面上において重ならない、表示制御装置。
【請求項９】
請求項８に記載の表示制御装置であって、
前記第１アイコン及び前記第２アイコンは、前記第３アイコンを前記第１方向側及び前記第２方向側にそれぞれ延ばした形状を有する、表示制御装置。
【請求項１０】
請求項８または請求項９に記載の表示制御装置であって、
前記第１アイコン及び前記第２アイコンは、前記第３アイコンを座面とする立体表示アイコンである、表示制御装置。
【請求項１１】
請求項１乃至請求項１０のいずれかに記載の表示制御装置であって、
細長く形成された前記第１アイコンの長手方向と、細長く形成された前記第２アイコンの長手方向とが互いに異なる、表示制御装置。
【請求項１２】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
（ａ）アプリケーションを実行する際に操作される前記第１画像内の第１アイコンの表示領域の一部と、アプリケーションを実行する際に操作される前記第２画像内の第２アイコンの表示領域の一部とが、前記画面上において互いに重ねて配置される工程と、
（ｂ）アプリケーションの機能を実行するための前記第１画像に対する操作と、アプリケーションの機能を実行するための前記第２画像に対する操作とを一律に受け付ける入力部からの出力信号に基づいて、前記第１アイコンと前記第２アイコンとの重複領域に対する操作が実施されたと判定された場合には当該操作を無効にする工程と
を備える、表示制御方法。
【発明の詳細な説明】
【技術分野】
【０００１】
本発明は、表示部を制御する表示制御装置及び表示制御方法に関するものである。
【背景技術】
【０００２】
画面を見る方向によって異なる画像を一画面に表示可能な多重画像表示装置として、スプリットビュー（マルチビュー、デュアルビュー（登録商標）とも言う）方式の表示装置が知られており、近年、様々な分野においてスプリットビュー表示装置を適用することが提案されている。例えば、スプリットビュー表示装置と、その画面に配設されたタッチパネルとを、車載のナビゲーション装置に適用することが提案されている。このようなナビゲーション装置によれば、運転席側の方向と助手席側の方向とで異なる内容の画像を画面に表示するとともに、当該画像内に表示されているアイコンに対する操作をタッチパネルにて受け付けることが可能となる。
【０００３】
しかしながら、上述のようなナビゲーション装置においては、運転席側の方向に表示される画像内のアイコンの位置と、助手席側の方向に表示される画像内のアイコンの位置とがスプリットビュー表示装置の画面上において重なっている場合がある。このような場合には、アイコンに対する操作をタッチパネルにて受け付けたとしても、運転席側の方向に表示されている画像内のアイコンに対して操作が実施されたのか、助手席側の方向に表示されている画像内のアイコンに対して操作が実施されたのかを判別できないという問題があった。
【０００４】
そこで、特許文献１には、運転席側の方向に表示される画像内のアイコンの位置と、助手席側の方向に表示される画像内のアイコンの位置とが重ならないように、それらを互いに異なる位置に配置する技術が提案されている。
【先行技術文献】
【特許文献】
【０００５】
【特許文献１】国際公開第２００６／１００９０４号
【発明の概要】
【発明が解決しようとする課題】
【０００６】
しかしながら、アイコンを配置できる画面の領域は限られていることから、運転席側の方向に表示される画像内のアイコンと、助手席側の方向に表示される画像内のアイコンとを全く重ならないように配置すると、アイコンを配置するための領域が不足してしまうという問題があった。
【０００７】
そこで、本発明は、上記のような問題点を鑑みてなされたものであり、アイコンを配置するための領域が不足することを抑制可能な技術を提供することを目的とする。
【課題を解決するための手段】
【０００８】
本発明に係る表示制御装置は、第１方向にて視認可能であるが第２方向にて視認できない第１画像と、第２方向にて視認可能であるが第１方向にて視認できない第２画像とを一つの画面上に表示可能な表示部を制御する表示制御装置であり、制御部を備える。アプリケーションを実行する際に操作される第１画像内の第１アイコンの表示領域の一部と、アプリケーションを実行する際に操作される第２画像内の第２アイコンの表示領域の一部とが、画面上において互いに重ねて配置される。制御部は、アプリケーションの機能を実行するための第１画像に対する操作と、アプリケーションの機能を実行するための第２画像に対する操作とを一律に受け付ける入力部からの出力信号に基づいて、第１アイコンと第２アイコンとの重複領域に対する操作が実施されたと判定された場合には当該操作を無効にする。
【発明の効果】
【０００９】
本発明によれば、第１アイコンの表示領域の一部と第２アイコンの表示領域の一部とを、表示部の画面上において互いに重ねて配置することが可能となる。この結果、表示部の画面において、アイコンを配置するための領域が不足することを抑制することができる。
【図面の簡単な説明】
【００１０】
【図１】実施の形態１に係るナビゲーション装置の構成の一例を示すブロック図である。
【図２】実施の形態１に係るスプリットビュー表示部の構成の一例を示す断面図である。
【図３】実施の形態１に係るスプリットビュー表示部の表示例を示す図である。
【図４】実施の形態１に係るスプリットビュー表示部の構成の一例を示す断面図である。
【図５】実施の形態１に係るスプリットビュー表示部の表示例を示す図である。
【図６】タッチパネルによる指示体の検出の一例を示す図である。
【図７】実施の形態１に係るナビゲーション装置の動作を示すフローチャートである。
【図８】実施の形態１に係るナビゲーション装置の左用画像及び右用画像の表示例を示す図である。
【図９】実施の形態１に係る左用アイコン及び右用アイコンの拡大図である。
【図１０】実施の形態１の変形例２に係る左用アイコン及び右用アイコンの拡大図である。
【図１１】実施の形態１の変形例３に係るナビゲーション装置の左用画像及び右用画像の表示例を示す図である。
【図１２】実施の形態１の変形例３に係るナビゲーション装置の左用画像及び右用画像の表示例を示す図である。
【図１３】実施の形態１の変形例５に係るナビゲーション装置の左用画像及び右用画像の表示例を示す図である。
【図１４】実施の形態１の変形例５に係るナビゲーション装置の左用画像及び右用画像の表示例を示す図である。
【発明を実施するための形態】
【００１１】
＜実施の形態１＞
本発明の実施の形態１として、本発明に係る表示制御装置を、車両に搭載可能なナビゲーション装置に適用した場合を例にして説明する。図１は、当該ナビゲーション装置の構成の一例を示すブロック図である。以下、図１に示されるナビゲーション装置１が搭載された車両を「自車」と記載して説明する。
【００１２】
ナビゲーション装置１は、スプリットビュー表示部２と、タッチパネル３と、操作入力処理部９と、インタフェース部１０と、記憶部１１と、左用画像生成部１２と、右用画像生成部１３と、これらを統括的に制御する制御部１４とを備えて構成されている。
【００１３】
インタフェース部１０は、無線通信部４、スピーカ５、ＤＶＤ（Digital Versatile Disk）プレーヤ６、エアコン７及び車内ＬＡＮ（Local Area Network）８と、制御部１４との間に接続されている。無線通信部４、スピーカ５、ＤＶＤプレーヤ６、エアコン７及び車内ＬＡＮ８と、制御部１４との間では、インタフェース部１０を介して各種情報や各種信号が双方向に出力される。以下、説明を簡単にするため、一方がインタフェース部１０を介して他方に情報を出力すると記載する代わりに、一方が他方に情報を出力すると記載する。制御部１４は、制御情報を、無線通信部４、スピーカ５、ＤＶＤプレーヤ６、エアコン７及び車内ＬＡＮ８に出力することにより、これらを制御することが可能となっている。
【００１４】
スプリットビュー表示部２は、例えば自車のダッシュボードなどに配設される。スプリットビュー表示部２は、左座席の方向（第１方向）にて視認可能であるが右座席の方向から視認できない第１画像（以下「左用画像」と記す）と、右座席の方向（第２方向）にて視認可能であるが左座席の方向から視認できない第２画像（以下「右用画像」と記す）とを一つの画面上に表示することが可能となっている。
【００１５】
後述するように、スプリットビュー表示部２は、左用画像内のアイコン（第１アイコン）と、右用画像内のアイコン（第２アイコン）とを表示する。以下、左用画像内のアイコン（第１アイコン）を「左用アイコン」と記し、右用画像内のアイコン（第２アイコン）を「右用アイコン」と記す。また、以下では、左座席が運転席であり、右座席が助手席である構成を例にして説明するが、左座席が助手席であり、右座席が運転席である構成では、以下の説明において左と右とを互いに読み替えたものと同様である。
【００１６】
スプリットビュー表示部２には、例えば、空間分割方式の表示装置が適用される。図２に当該表示装置の模式断面図を示す。図２に示す表示装置２００は、表示画面２０１と、視差バリア２０２とを備えている。表示画面２０１には、左用画像を表示するための第１画素２０１ａと、右用画像を表示するための第２画素２０１ｂとが水平方向（左右方向）に沿って交互に配置されている。視差バリア２０２は、左座席の方向に対しては第１画素２０１ａの光を通過させるが第２画素２０１ｂの光を遮断し、右座席の方向に対しては第２画素２０１ｂの光を通過させるが第１画素２０１ａの光を遮断する。このような構成によれば、左座席のユーザ１０１ａは、右用画像を視認できないが左用画像を視認することができ、右座席のユーザ１０１ｂは、左用画像を視認できないが右用画像を視認することができる。
【００１７】
スプリットビュー表示部２に空間分割方式の表示装置２００を適用した構成では、視差バリア２０２が左座席の方向に複数の第１画素２０１ａからの光を通過させることによって左用アイコンが視認可能に表示され、視差バリア２０２が右座席の方向に複数の第２画素２０１ｂからの光を通過させることによって右用アイコンが視認可能に表示される。このため、左用アイコンの表示領域の外縁部は、当該左用アイコンの表示に用いられた複数の第１画素２０１ａのうち外縁部に位置する第１画素２０１ａに対応し、右用アイコンの表示領域の外縁部は、当該右用アイコンの表示に用いられた複数の第２画素２０１ｂのうち外縁部に位置する第２画素２０１ｂに対応する。
【００１８】
図３は、空間分割方式のスプリットビュー表示部２の表示例を示す図であり、１フレームの左用画像及び右用画像が示されている。例えば、ＷＶＧＡ（Wide VGA）の表示装置においては、全体で横（ｘ軸）に８００ドット、縦（ｙ軸）に４８０ドットの画素を持つ。ＷＶＧＡの表示装置に対応する、図３のような空間分割方式のスプリットビュー表示装置は、表示装置の性能によっても異なるが、例えば、横に並べられた総数がＷＶＧＡの表示装置における横方向の画素数の２倍、つまり合計の画素数が横に１６００ドット、縦に４８０ドットの第１及び第２画素２０１ａ，２０１ｂで構成される。しかし、ここでは説明を容易にするため、スプリットビュー表示装置は、横に１３ドット、縦に４ドットの第１画素２０１ａと、それと同数の第２画素２０１ｂとで構成され、アイコンは横に４ドット、縦に１ドットの第１画素２０１ａまたは第２画素２０１ｂで表示されるものとして説明を行う。また、図３に示されるようなアイコンの１ドットのｘ軸（左右方向）のずれは、通常の視認位置からでは人の目では見分けがつかず、同一位置に表示されているように見える。
【００１９】
図３では、左用アイコンの外縁部（外枠）が破線で示されており、当該左用アイコンを表示するために、水平方向に配設された４つの第１画素２０１ａが用いられていることが示されている。また、図３では、右用アイコンの外縁部（外枠）が一点鎖線で示されており、当該右用アイコンを表示するために、水平方向に配設された４つの第２画素２０１ｂが用いられていることが示されている。なお、左用アイコンの表示に用いられる第１画素２０１ａの数、及び、右用アイコンの表示に用いられる第２画素２０１ｂの数は、４つに限ったものではない。
【００２０】
以下の説明では、スプリットビュー表示部２に空間分割方式の表示装置２００が適用された構成において、左用アイコンの表示に用いられた複数（図３では４つ）の第１画素２０１ａの少なくとも１つが、右用アイコンの表示に用いられた複数（図３では４つ）の第２画素２０１ｂのうち外縁部に位置する第２画素２０１ｂ（図３では一点鎖線に対応する第２画素２０１ｂ）に挟まれている場合に、当該左用アイコンの表示領域の少なくとも一部と、当該右用アイコンの表示領域の少なくとも一部とがスプリットビュー表示部２の画面上において互いに重なると記す。また、当該構成において、右用アイコンの表示に用いられた複数（図３では４つ）の第２画素２０１ｂの少なくとも１つが、左用アイコンの表示に用いられた複数（図３では４つ）の第１画素２０１ａのうち外縁部に位置する第１画素２０１ａ（図３では破線に対応する第１画素２０１ａ）に挟まれている場合にも、当該左用アイコンの表示領域の少なくとも一部と、当該右用アイコンの表示領域の少なくとも一部とがスプリットビュー表示部２の画面上において互いに重なると記す。一方、当該構成において、右用アイコンの表示に用いられた第２画素２０１ｂ、及び、左用アイコンの表示に用いられた第１画素２０１ａの一方が、他方に挟まれていない場合に、当該左用アイコンの表示領域と、当該右用アイコンの表示領域とがスプリットビュー表示部２の画面上において離間すると記す。
【００２１】
以上、スプリットビュー表示部２に、空間分割方式の表示装置２００が適用された構成について説明した。しかしこれに限ったものではなく、スプリットビュー表示部２には、例えば、時分割方式の表示装置が適用されてもよい。図４に当該表示装置の模式断面図を示す。図４に示す表示装置２５０は、表示画面２５１と、視差バリア２５２とを備えている。表示画面２５１は、第１期間では左用画像を画素２５１ｃによって表示し、第２期間では右用画像を画素２５１ｃによって表示する。視差バリア２５２は、第１期間では左座席の方向に対して画素２５１ｃの光を通過させるが右座席の方向に対して画素２５１ｃの光を遮断し、第２期間では右座席の方向に対して画素２５１ｃの光を通過させるが左座席の方向に対して画素２５１ｃの光を遮断する。なお、図４には、第１期間の状態が示されている。
【００２２】
上述のような構成によれば、左座席のユーザ１０１ａは、右用画像を視認できないが左用画像を視認することができ、右座席のユーザ１０１ｂは、左用画像を視認できないが右用画像を視認することができる。なお、右座席のユーザ１０１ｂの目は、第１期間において、スプリットビュー表示部２から画素２５１ｃの光を受けていない。しかし、この第１期間は非常に短く設定されていることから、第１期間に目が光を受けていないことは右座席のユーザ１０１ｂに認識されない。一方、第２期間に目が受けた光の残像効果によって、第１期間においても第２期間の画像が表示されているように右座席のユーザ１０１ｂに認識される。同様に、第２期間に目が光を受けていないことは左座席のユーザ１０１ａに認識されず、第１期間に目が受けた光の残像効果によって、第２期間においても第１期間の画像が表示されているように左座席のユーザ１０１ａに認識される。
【００２３】
スプリットビュー表示部２に時分割方式の表示装置２５０を適用した構成では、視差バリア２５２が、第１期間に左座席の方向に複数の画素２５１ｃからの光を通過させることによって左用アイコンが視認可能に表示され、第２期間に右座席の方向に複数の画素２５１ｃからの光を通過させることによって右用アイコンが視認可能に表示される。このため、左用アイコンの表示領域の外縁部は、当該左用アイコンの表示に用いられた複数の画素２５１ｃのうち外縁部に位置する画素２５１ｃに対応し、右用アイコンの表示領域の外縁部は、当該右用アイコンの表示に用いられた複数の画素２５１ｃのうち外縁部に位置する画素２５１ｃに対応する。
【００２４】
図５（ａ）及び図５（ｂ）は、時分割方式のスプリットビュー表示部２の表示例を示す図であり、１フレームの左用画像及び右用画像が示されている。例えば、ＷＶＧＡの表示装置においては、上述したように、全体で横（ｘ軸）に８００ドット、縦（ｙ軸）に４８０ドットの画素を持つ。ＷＶＧＡの表示装置に対応する、図５（ａ）及び図５（ｂ）のような時分割方式のスプリットビュー表示装置は、表示装置の性能によっても異なるが、例えば、横に８００ドット、縦に４８０ドットの画素２５１ｃで構成される。しかし、ここでは説明を容易にするため、スプリットビュー表示装置は、横に１３ドット、縦に４ドットの画素２５１ｃで構成され、アイコンは横に３ドット、縦に１ドットの画素２５１ｃで表示されるものとして説明を行う。
【００２５】
図５（ａ）では、第１期間に表示される左用アイコンの外縁部（外枠）が破線で示されており、当該左用アイコンを表示するために、水平方向に配設された３つの画素２５１ｃが用いられていることが示されている。図５（ｂ）では、第２期間に表示される右用アイコンの外縁部（外枠）が破線で示されており、当該右用アイコンを表示するために、水平方向に配設された３つの画素２５１ｃが用いられていることが示されている。なお、左用アイコンの表示に用いられる画素２５１ｃの数、及び、右用アイコンの表示に用いられる画素２５１ｃの数は、３つに限ったものではない。
【００２６】
以下の説明では、スプリットビュー表示部２に時分割方式の表示装置２５０が適用された構成において、第１期間に左用アイコンの表示に用いられた複数の画素２５１ｃのうち少なくとも１つと、第２期間に右用アイコンの表示に用いられた複数の画素２５１ｃのうち少なくとも１つとが一致する場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられ、かつ、第２期間に右用アイコンの表示に用いられた画素２５１ｃが存在しない場合に、当該左用アイコンの表示領域と、当該右用アイコンの表示領域とがスプリットビュー表示部２の画面上において離間すると記す。
【００２７】
詳細な構成については説明を省略するが、スプリットビュー表示部２には、空間分割方式と時分割方式とを組み合わせた方式の表示装置が適用されてもよい。そして、例えば、第１期間に左用アイコンの表示に用いられた画素の少なくとも一部が、第２期間に右用アイコンの表示に用いられた複数の画素のうち外縁部に位置する画素に挟まれている場合、または、第２期間に右用アイコンの表示に用いられた画素の少なくとも一部が、第１期間に左用アイコンの表示に用いられた複数の画素のうち外縁部に位置する画素に挟まれている場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられた画素、及び、第２期間に右用アイコンの表示に用いられた画素の一方が、他方に挟まれていない場合に、当該左用アイコンの表示領域と、当該右用アイコンの表示領域とがスプリットビュー表示部２の画面上において離間すると記す。
【００２８】
なお、スプリットビュー方式を用いた表示装置の具体的な構成は、例えば特開２００５−０７８０８０号公報及び国際公開第２０１２／０７０４４４号などに開示されている。なお、以上の説明では言及しなかったが、空間分割方式及び時分割方式のいずれにおいても、短い期間（例えば１／３０［秒］）で画素の走査が行われる。
【００２９】
図１に戻って、タッチパネル３の検出面は、スプリットビュー表示部２の画面に配設されている。タッチパネル３（入力部）は、アプリケーションの機能を実行するための左用画像に対する操作と、アプリケーションの機能を実行するための右用画像に対する操作とを一律に受け付ける。本実施の形態１では、タッチパネル３は、検出面をタッチした１以上の指などの指示体について、当該検出面上の二次元の位置を定期的に検出する。そして、タッチパネル３は、当該指示体の位置を示す信号を操作入力処理部９に出力する。
【００３０】
ただし、タッチパネル３は、（Ｘ，Ｙ）座標値のような二次元の位置を指示体の位置として検出するものに限ったものではない。例えば、タッチパネル３は、図６に示すように、指示体との距離が最短となる検出面上の点の位置（二次元の位置）と、指示体と検出面（当該点）との間の距離（別の一次元の位置であるＺ軸座標値）とを含む三次元の位置（Ｘ，Ｙ，Ｚ）を、指示体の位置として検出するものであってもよい。
【００３１】
無線通信部４は、例えばＤＳＲＣ（Dedicate Short Range Communication）及び携帯電話機などを介してサーバと通信を行う。無線通信部４は、サーバから受信した情報（例えばダウンロードした情報など）を制御部１４に出力したり、制御部１４から出力された情報をサーバに送信したりする。また、無線通信部４は、ラジオ放送及びテレビ放送を受信し、それら放送から取得した情報を制御部１４に出力する。
【００３２】
スピーカ５（音声出力部）は、制御部１４から出力された音声信号に基づいて音声を出力する。
【００３３】
ＤＶＤプレーヤ６は、ＤＶＤに記録されたＡＶ（Audio-video）情報を再生し、当該ＡＶ情報を制御部１４に出力する。
【００３４】
エアコン７は、制御部１４の制御により、自車の室内の温度や湿度を調整する。
【００３５】
車内ＬＡＮ８は、自車のＥＣＵ（Electronic Control Unit）やＧＰＳ（Global Positioning System）装置などと通信を行う。例えば、車内ＬＡＮ８は、ＥＣＵから取得した自車の速度や、ＧＰＳ装置から取得した自車の現在位置（例えば緯度及び経度）を制御部１４に出力する。
【００３６】
操作入力処理部９は、タッチパネル３の出力信号に基づいて、指示体によりタッチパネル３の検出面をタッチするタッチ操作が実施されたか否かを判定する。タッチ操作が実施されたと判定する際には、操作入力処理部９は、タッチパネル３の検出面がタッチされた点の数（検出面をタッチした指示体の数）も判定する。したがって、操作入力処理部９は、指示体によりタッチパネル３の検出面を１点でタッチする１点タッチ操作が実施されたか否か、指示体によりタッチパネル３の検出面を２点でタッチする２点タッチ操作が実施されたか否かなどを判定することが可能となっている。なお、ここでは、２点タッチ操作は、２つの指示体によりタッチパネル３の検出面を同時に２点でタッチする操作であるとして説明するが、これに限ったものではなく、例えば、予め定められた時間内に２回実施された１点タッチ操作を、２点タッチ操作として適用してもよい。
【００３７】
さらに、操作入力処理部９には、スプリットビュー表示部２に表示されているアイコンの位置を示すアイコン位置情報が制御部１４から入力される。操作入力処理部９は、当該アイコン位置情報と、タッチパネル３の出力信号（指示体の位置を示す信号）とに基づいて、タッチパネル３、ひいてはスプリットビュー表示部２に表示されているアイコンなどに対してタッチ操作が実施されたか否かを判定する。ここでは、操作入力処理部９は、タッチパネル３の出力信号が示す指示体の位置が、左用アイコンの表示領域に重なる（当該指示体が、当該左用アイコンの内側に位置する）と判定した場合には、当該左用アイコンに対するタッチ操作が実施されたと判定する。操作入力処理部９は、左用アイコンに関する当該判定と同様の判定を右用アイコンについても行う。
【００３８】
操作入力処理部９は、以上のタッチ操作の判定結果などを制御部１４に出力する。以上のように本実施の形態１では、スプリットビュー表示部２に表示されているアイコンなどに対する操作が実施されたか否かを判定する処理を、操作入力処理部９によって実施するものとして説明するが、当該判定する処理は制御部１４によって実施されてもよい。また、図１では、操作入力処理部９は、タッチパネル３及び制御部１４とは別に設けられているが、これに限ったものではなく、タッチパネル３の機能としてタッチパネル３に備えられていてもよいし、制御部１４の機能として制御部１４に備えられていてもよい。
【００３９】
記憶部１１は、例えばハードディスクドライブ、ＤＶＤ及びそのドライブ装置、ブルーレイディスク及びそのドライブ装置、または、半導体メモリなどの記憶装置から構成される。記憶部１１は、制御部１４が動作するのに必要なプログラムのほか、制御部１４に用いられる情報を記憶している。制御部１４に用いられる情報には、例えば、アプリケーション（アプリケーションソフトウェア）、アプリケーションの機能を実行する際に操作されるアイコンが配置された画像、及び、地図情報などが含まれる。なお、以下の説明では、アプリケーションの機能を実行する際に操作されるアイコンが配置された画像（例えば図８（ａ）及び図８（ｂ）に対応する画像）を、「アイコン配置画像」と記す。「アイコン配置画像」は、地図情報にアイコンを表示した画像も含む。
【００４０】
左用画像生成部１２は、制御部１４から出力された表示情報に基づいて、左用画像を表示するための表示信号を生成し、当該表示信号をスプリットビュー表示部２に出力する。スプリットビュー表示部２は、左用画像生成部１２から表示信号を受けると、当該表示信号に基づいて左用画像を表示する。
【００４１】
右用画像生成部１３は、制御部１４から出力された表示情報に基づいて、右用画像を表示するための表示信号を生成し、当該表示信号をスプリットビュー表示部２に出力する。スプリットビュー表示部２は、右用画像生成部１３から表示信号を受けると、当該表示信号に基づいて右用画像を表示する。
【００４２】
ここで、左用画像生成部１２が生成する表示信号には、左用画像に用いられる複数の画素のそれぞれに例えば（１，１）、（２，１）、…、（８００，１）、（１，２）、…（８００，２）、…、（８００，４８０）という順序で割り当てられた画素番号が含まれている。同様に、右用画像生成部１３が生成する表示信号にも、右用画像に用いられる複数の画素のそれぞれに例えば（１，１）、（１，２）、…、（８００，４８０）という順序で割り当てられた画素番号が含まれる。このため、左用アイコンの表示に用いられる少なくとも１つの画素の画素番号と、右用アイコンの表示に用いられる少なくとも１つの画素の画素番号とが一致する場合には、当該左用アイコンの表示領域の少なくとも一部と、当該右用アイコンの表示領域の少なくとも一部とがスプリットビュー表示部２の画面上において互いに重なることに相当する。ここで、（ｘ，ｙ）は、当該画面上の左上を（１，１）とし、ｘ軸は右方向を正、ｙ軸は下方向を正としたｘｙ座標に対応した画素位置を示す。
【００４３】
制御部１４は、例えばＣＰＵ（Central Processing Unit）から構成されており、当該ＣＰＵが記憶部１１に記憶されたプログラムを実行することにより、ナビゲーション装置１にて様々なアプリケーションを実行すること、ひいては当該実行されたアプリケーションに応じてスピーカ５などを制御することが可能となっている。
【００４４】
例えば、制御部１４は、ナビゲーションのアプリケーションを実行した場合には、自車の現在位置と、タッチパネル３の出力信号に基づく目的地と、地図情報とに基づいて現在位置から目的地までの経路を探索し、当該経路に沿った案内を表示するための表示情報、及び、当該案内を音声出力するための音声信号を生成する。この結果、上述の案内が左用画像または右用画像として表示されるとともに、上述の案内の音声がスピーカ５にて出力される。
【００４５】
また、例えば、制御部１４は、ＤＶＤ再生のアプリケーションを実行した場合には、ＤＶＤプレーヤ６からのＡＶ情報を表示するための表示情報、及び、ＡＶ情報を音声出力するための音声信号を生成する。この結果、ＤＶＤに記憶された映像が左用画像または右用画像として表示されるとともに、ＤＶＤに記憶された音声がスピーカ５にて出力される。
【００４６】
また、制御部１４は、左用画像側にて実行可能な（左用画像側から実行可能な）１以上のアプリケーションに対応する１つのアイコン配置画像を記憶部１１から取得し、当該取得したアイコン配置画像を左用画像として表示させる。これにより、当該アプリケーションの機能を左用画像側にて実行するための操作の対象となるアイコンが、スプリットビュー表示部２（左用画像）に表示される。以下、左用画像として表示可能なアイコン配置画像（例えば図８（ａ）に対応する画像）を「左用アイコン配置画像」と記す。なお、左用画像として表示されている左用アイコン配置画像内のアイコンは、上述の左用アイコンに対応する。
【００４７】
同様に、制御部１４は、右用画像側にて実行可能な（右用画像側から実行可能な）１以上のアプリケーションに対応する１つのアイコン配置画像を記憶部１１から取得し、当該取得したアイコン配置画像を右用画像として表示させる。これにより、当該アプリケーションの機能を右用画像側にて実行するための操作の対象となるアイコンが、スプリットビュー表示部２（右用画像）に表示される。以下、右用画像として表示可能なアイコン配置画像（例えば図８（ｂ）に対応する画像）を「右用アイコン配置画像」と記す。なお、右用画像として表示されている右用アイコン配置画像内のアイコンは、上述の右用アイコンに対応する。
【００４８】
ここで、詳細については後述するが、本実施の形態１では、左用画像内の左用アイコンの表示領域の一部と、右用画像内の右用アイコンの表示領域の一部とが、スプリットビュー表示部２の画面上において互いに重ねて配置されている。そして、制御部１４は、左用アイコンと右用アイコンとの重複領域に対する操作（ここではタッチ操作）が実施されたと操作入力処理部９と判定された場合には、当該操作を無効にする。本実施の形態１では、制御部１４は、左用アイコンと右用アイコンとの重複領域に対する操作（ここではタッチ操作）が実施されたと操作入力処理部９と判定され、かつ、当該重複領域を除く左用アイコンの表示領域に対する操作、及び、重複領域を除く右用アイコンの表示領域に対する操作のいずれも実施されなかったと判定された場合には、当該操作を無効にする。
【００４９】
＜動作＞
図７は、本実施の形態１に係るナビゲーション装置１の動作を示すフローチャートである。図７に示される動作はＣＰＵが記憶部１１に記憶されたプログラムを実行することによって行われる。以下、ナビゲーション装置１の動作について図７を用いて説明する。
【００５０】
まず、ステップＳ１にて、初期動作を実行するための操作が実施された場合に、制御部１４は初期動作を実行する。ここでは、初期動作として、制御部１４は、左用画像側及び右用画像側にて初期に実行すべきアプリケーションを記憶部１１から取得し、当該アプリケーションを実行する。
【００５１】
ステップＳ２にて、制御部１４は、左用画像側にて実行されているアプリケーションに対応する左用アイコン配置画像を記憶部１１から取得するとともに、右用画像側にて実行されているアプリケーションに対応する右用アイコン配置画像を記憶部１１から取得する。
【００５２】
ステップＳ３にて、制御部１４は、取得した左用アイコン配置画像をスプリットビュー表示部２の左用画像として表示し、取得した右用アイコン配置画像をスプリットビュー表示部２の右用画像として表示する。
【００５３】
図８（ａ）及び図８（ｂ）は、本実施の形態１に係るナビゲーション装置１（スプリットビュー表示部２）のステップＳ３における左用画像及び右用画像の表示例を示す図である。図８（ａ）は左用画像の表示例であり、細長く形成された左用アイコンＬ１，Ｌ２，Ｌ３，Ｌ４，Ｌ５（以下これらのアイコンをまとめて「左用アイコンＬ１〜Ｌ５」と記すこともある）が表示されている。図８（ｂ）は右用画像の表示例であり、細長く形成された右用アイコンＲ１，Ｒ２，Ｒ３，Ｒ４，Ｒ５（以下これらのアイコンをまとめて「右用アイコンＲ１〜Ｒ５」と記すこともある）が表示されている。そして、左用アイコンＬ１〜Ｌ５の一部の領域と、右用アイコンＲ１〜Ｒ５の一部の領域とが互いに異なっているだけでなく、左用アイコンＬ１〜Ｌ５の長手方向と、右用アイコンＲ１〜Ｒ５の長手方向とが互いに異なっている。
【００５４】
図９は、左用アイコンＬ１及び右用アイコンＲ１の拡大図である。実際には、左用アイコンＬ１と右用アイコンＲ１との両方をまとめて視認できないことが想定されるが、図９では、左用アイコンＬ１（実線）と右用アイコンＲ１（破線）との両方を示している。このことは、左用アイコンＬ１及び右用アイコンＲ１を１つの図で示す図１０においても同様である。
【００５５】
図９に示されるように、左用アイコンＬ１の表示領域の中央部（一部）と右用アイコンＲ１の表示領域の中央部（一部）とが、スプリットビュー表示部２の画面上において互いに重ねて配置されている。
【００５６】
左用アイコンＬ１の表示領域は、スプリットビュー表示部２の画面上において右用アイコンＲ１と重なった表示領域（以下「重複領域ＬＯ」と記す）と、重複領域ＬＯを除く２つの表示領域（以下「重複除外領域ＬＥＯ１，重複除外領域ＬＥＯ２」と記す）とを含んでいる。なお、重複除外領域ＬＥＯ１及び重複除外領域ＬＥＯ２を区別しない場合には「重複除外領域ＬＥＯ」と記す。
【００５７】
同様に、右用アイコンＲ１の表示領域は、スプリットビュー表示部２の画面上において左用アイコンＬ１と重なった表示領域（以下「重複領域ＲＯ」と記す）と、重複領域ＲＯを除く２つの表示領域（以下「重複除外領域ＲＥＯ１，重複除外領域ＲＥＯ２」と記す）とを含んでいる。なお、重複除外領域ＲＥＯ１及び重複除外領域ＲＥＯ２を区別しない場合には「重複除外領域ＲＥＯ」と記す。
【００５８】
本実施の形態１では、左用アイコンＬ２、Ｌ３，Ｌ４，Ｌ５及び右用アイコンＲ２、Ｒ３，Ｒ４，Ｒ５も、図９に示される左用アイコンＬ１及び右用アイコンＲ１と同様に互いの一部をスプリットビュー表示部２の画面上において重ねて配置されている。もちろん表示される全ての左用アイコン及び右用アイコンが、図９に示される左用アイコンＬ１及び右用アイコンＲ１と同様にスプリットビュー表示部２の画面上において重ねて配置されなくてもよい。このことは、図１０を用いて説明される構成でも同様である。
【００５９】
また、本実施の形態１では、制御部１４は、アイコンの表示領域の一部がスプリットビュー表示部２の画面上において互いに重なる左用アイコン配置画像及び右用アイコン配置画像を記憶部１１から取得し、これら画像をスプリットビュー表示部２に表示させることにより、図８（ａ）及び図８（ｂ）に示すような表示が実現されるものとする。
【００６０】
図７のステップＳ４にて、操作入力処理部９は、操作（タッチ操作）が実施されたか否かを判定する。操作が実施されたと判定された場合にはステップＳ５に進み、操作が実施されなかったと判定された場合にはステップＳ４を再度行う。なお、ステップＳ４を再度行う際において、地図が左用画像または右用画像として表示されており、かつ、自車の位置が変化していた場合には、制御部１４は、当該変化に応じて当該地図をスクロールさせてもよい。
【００６１】
ステップＳ５にて、操作入力処理部９は、ステップＳ４の操作が重複領域ＬＯ，ＲＯに対する操作であったか否かを判定する。ステップＳ４の操作が重複領域ＬＯ，ＲＯに対する操作であったと判定した場合にはステップＳ６に進み、そうでないと判定した場合にはステップＳ４に戻る。なお、ステップＳ４に戻る際において、地図が左用画像または右用画像として表示されており、かつ、自車の位置が変化していた場合には、制御部１４は、当該変化に応じて当該地図をスクロールさせてもよい。このことは、ステップＳ５以外のステップからステップＳ４に戻る際においても同様である。
【００６２】
以下、ステップＳ４の操作が、図８（ａ）及び図８（ｂ）の左用アイコンＬ１及び右用アイコンＲ１の重複領域ＬＯ，ＲＯに対する操作であったと判定されたものとしてステップＳ６以降を説明する。ただし、他のアイコンの重複領域ＬＯ，ＲＯに対する操作であったと判定された場合も同様である。
【００６３】
ステップＳ６にて、操作入力処理部９は、ステップＳ４の操作が、左用アイコンＬ１の重複除外領域ＬＥＯ１若しくは重複除外領域ＬＥＯ２、または、右用アイコンＲ１の重複除外領域ＲＥＯ１若しくは重複除外領域ＲＥＯ２に対する操作を付随していたか否かを判定する。操作入力処理部９は、例えば、ステップＳ４の操作が、重複領域ＬＯと左用アイコンＬ１の重複除外領域ＬＥＯとの両方に対する２点タッチ操作、または、重複領域ＲＯと右用アイコンＲ１の重複除外領域ＲＥＯとの両方に対する２点タッチ操作であった場合に、上記操作が付随していたと判定する。
【００６４】
ステップＳ６にて、ステップＳ４の操作が重複除外領域ＬＥＯまたは重複除外領域ＲＥＯに対する操作を付随していたと判定された場合にはステップＳ７に進み、ステップＳ４の操作が重複除外領域ＬＥＯ及び重複除外領域ＲＥＯのいずれに対する操作も付随していなかったと判定された場合にはステップＳ８に進む。
【００６５】
ステップＳ６からステップＳ７に進んだ場合、ステップＳ７にて、制御部１４は、ステップＳ４の操作を有効にする。具体的には、ステップＳ６にて、ステップＳ４の操作が、左用アイコンＬ１の重複除外領域ＬＥＯに対する操作を付随していたと判定されていた場合には、制御部１４は、左用アイコンＬ１に予め対応付けられた機能を実行する。一方、ステップＳ６にて、ステップＳ４の操作が、右用アイコンＲ１の重複除外領域ＲＥＯに対する操作を付随していたと判定されていた場合には、制御部１４は、右用アイコンＲ１に予め対応付けられた機能を実行する。その後ステップＳ４に戻る。なお、機能が実行されたアイコンに対して、アイコン配置画像が予め対応付けられて記憶部１１に記憶されている場合には、ステップＳ７からステップＳ３に戻って、当該アイコン配置画像がスプリットビュー表示部２に表示されてもよい。
【００６６】
ステップＳ６からステップＳ８に進んだ場合、ステップＳ８にて、制御部１４は、ステップＳ４の操作を無効にする。具体的には、制御部１４は、操作が実施された左用アイコンＬ１に予め対応付けられた機能、及び、操作が実施された右用アイコンＲ１に予め対応付けられた機能を実行せずに、ステップＳ４に戻る。
【００６７】
＜効果＞
以上のような本実施の形態１に係るナビゲーション装置１によれば、左用アイコンＬ１〜Ｌ５と右用アイコンＲ１〜Ｒ５との重複領域ＬＯ，ＲＯに対する操作が実施されたと判定された場合には、当該操作を無効にする。したがって、スプリットビュー表示部２の画面上において左用アイコンの表示領域の一部と右用アイコンの表示領域の一部とを重ねて配置しても、左座席のユーザ、及び、右座席のユーザの一方が、他方のアプリケーションを知らないうちに実行してしまう可能性を低減することができる。これにより、スプリットビュー表示部２の画面上において、左用アイコンの表示領域の一部と右用アイコンの表示領域の一部とを互いに重ねて配置することが可能となる。そして、この結果として、アイコン配置画像を生成する工程にて、アイコンを配置するための領域が不足することを抑制することができるとともに、アイコン配置に課せられる制約を低減することができる。
【００６８】
また、本実施の形態１によれば、左用アイコンＬ１〜Ｌ５と右用アイコンＲ１〜Ｒ５との重複領域ＬＯ，ＲＯに対して実施された操作に、左用アイコンＬ１〜Ｌ５の重複除外領域ＬＥＯ、または、右用アイコンＲ１〜Ｒ５の重複除外領域ＲＥＯに対する操作が付随していると判定された場合には、当該操作を有効にする。したがって、左座席のユーザ、及び、右座席のユーザの一方は、他方のアプリケーションを知らないうちに実行することなく、一方のアプリケーションを実行することができる。
【００６９】
＜実施の形態１の変形例１＞
実施の形態１では、制御部１４は、重複領域ＬＯと重複除外領域ＬＥＯとに対する操作との両方が実施されたと判定された場合に、当該重複除外領域ＬＥＯを含む左用アイコンに対する操作を有効にした。しかしこれに限ったものではなく、制御部１４は、重複領域ＬＯ，ＲＯに対する操作が実施されたと判定されずに、かつ、重複除外領域ＬＥＯ（重複除外領域ＬＥＯ１または重複除外領域ＬＥＯ２）に対する操作が実施されたと判定された場合に、当該重複除外領域ＬＥＯを含む左用アイコンに対する操作を有効にしてもよい。このように構成した場合にも、上述と同様の効果を得ることができる。
【００７０】
ここで、上記例では、重複除外領域ＬＥＯ１または重複除外領域ＬＥＯ２と、重複除外領域ＲＥＯ１または重複除外領域ＲＥＯ２とが同時に操作されたと判定された場合には、制御部１４は、当該操作を無効にしてもよい。ただし、これに限ったものではなく、重複除外領域ＬＥＯ１または重複除外領域ＬＥＯ２と、重複除外領域ＲＥＯ１または重複除外領域ＲＥＯ２とが同時に操作されたと判定された場合には、制御部１４は、運転席側から当該操作が実施されたと判断してもよい。また、重複領域ＬＯ，ＲＯが操作されたと判定された場合には、制御部１４は、運転席側から当該操作が実施されたと判断してもよい。この場合には、運転席側の操作性を向上させることができる。
【００７１】
同様に、実施の形態１では、制御部１４は、重複領域ＲＯと重複除外領域ＲＥＯとに対する操作との両方が実施されたと判定された場合に、当該重複除外領域ＲＥＯを含む右用アイコンに対する操作を有効にした。しかしこれに限ったものではなく、制御部１４は、重複領域ＬＯ，ＲＯに対する操作が実施されたと判定されずに、かつ、重複除外領域ＲＥＯ（重複除外領域ＲＥＯ１または重複除外領域ＲＥＯ２）に対する操作が実施されたと判定された場合に、当該重複除外領域ＲＥＯを含む右用アイコンに対する操作を有効にしてもよい。このように構成した場合にも、上述と同様の効果を得ることができる。
【００７２】
ここで、上記例では、重複除外領域ＬＥＯ１または重複除外領域ＬＥＯ２と、重複除外領域ＲＥＯ１または重複除外領域ＲＥＯ２とが同時に操作されたと判定された場合には、制御部１４は、当該操作を無効にしてもよい。
【００７３】
＜実施の形態１の変形例２＞
実施の形態１では、左用アイコンＬ１の表示領域の中央部と、右用アイコンＲ１の表示領域の中央部とが、スプリットビュー表示部２の画面上において互いに重ねて配置されていた（図９）。しかしこれに限ったものではなく、図１０に示すように、左用アイコンＬ１の表示領域の一端部と、右用アイコンＲ１の表示領域の一端部とが、スプリットビュー表示部２の画面上において互いに重ねて配置されてもよい。このように構成した場合にも、上述と同様の効果を得ることができる。
【００７４】
＜実施の形態１の変形例３＞
実施の形態１では、制御部１４は、左用画像内において、図８（ａ）に示す左用アイコンＬ１〜Ｌ５を表示させた。しかしこれに限ったものではなく、制御部１４は、左用画像内において、左用アイコンＬ１〜Ｌ５を表示させるとともに、上述の重複領域を含む第１領域を識別可能に表示させてもよい。
【００７５】
図１１（ａ）は、第１領域の一例を示す図である。この図１１（ａ）では、識別可能に表示される第１領域として、重複領域ＬＯ（図中のハッチングで示される領域）が適用されている。具体的には、制御部１４は、左用画像内において、左用アイコンＬ１〜Ｌ５のそれぞれの重複領域ＬＯに、第１加工を施すことによって、当該重複領域ＬＯ（第１領域）を識別可能に表示させている。なお、第１加工には、例えば重複領域ＬＯの元の画像の色もしくは明度などを変更する加工、右用アイコンの一部の画像に置換する加工、または、当該置換後の画像の色もしくは明度などを変更する加工などが適用される。このような構成によれば、左座席のユーザは、左用アイコンＬ１〜Ｌ５のどの領域（ここでは重複除外領域ＬＥＯ）を操作すべきかを、操作前に知ることができる。
【００７６】
図１２（ａ）は、第１領域の別の一例を示す図である。この図１２（ａ）では、識別可能に表示される第１領域として、右用アイコンに対応する領域ＲＡ（図中の破線で示される領域）が適用されている。具体的には、制御部１４は、左用画像内において右用アイコンＲ１〜Ｒ５に対応する領域ＲＡのそれぞれに、第２加工を施すことによって、当該領域ＲＡ（第１領域）を識別可能に表示させている。なお、第２加工には、例えば領域ＲＡの元の画像の色もしくは明度などを変更する加工、右用アイコンの画像に置換する加工、または、当該置換後の画像の色もしくは明度などを変更する加工などが適用される。このような構成によれば、左座席のユーザは、右座席のユーザのアプリケーションを実行してしまう領域を、操作前に知ることができる。
【００７７】
また、実施の形態１では、制御部１４は、右用画像内において、図８（ｂ）に示す右用アイコンＲ１〜Ｒ５を表示させた。しかしこれに限ったものではなく、制御部１４は、右用画像内において、右用アイコンＲ１〜Ｒ５を表示させるとともに、上述の重複領域を含む第２領域を識別可能に表示させてもよい。
【００７８】
図１１（ｂ）は、第２領域の一例を示す図である。この図１１（ｂ）では、識別可能に表示される第２領域として、重複領域ＲＯ（図中のハッチングで示される領域）が適用されている。具体的には、制御部１４は、右用画像内において、右用アイコンＲ１〜Ｒ５のそれぞれの重複領域ＲＯに、第３加工を施すことによって、当該重複領域ＲＯ（第２領域）を識別可能に表示させている。なお、第３加工には、例えば重複領域ＲＯの元の画像の色もしくは明度などを変更する加工、左用アイコンの一部の画像に置換する加工、または、当該置換後の画像の色もしくは明度などを変更する加工などが適用される。このような構成によれば、右座席のユーザは、右用アイコンＲ１〜Ｒ５のどの領域（ここでは重複除外領域ＲＥＯ）を操作すべきかを、操作前に知ることができる。
【００７９】
図１２（ｂ）は、第２領域の別の一例を示す図である。この図１２（ｂ）では、識別可能に表示される第２領域として、左用アイコンに対応する領域ＬＡ（図中の破線で示される領域）が適用されている。具体的には、制御部１４は、右用画像内において左用アイコンＬ１〜Ｌ５に対応する領域ＬＡのそれぞれに、第４加工を施すことによって、当該領域ＬＡ（第２領域）を識別可能に表示させている。なお、第４加工には、例えば領域ＬＡの元の画像の色もしくは明度などを変更する加工、左用アイコンの画像に置換する加工、または、当該置換後の画像の色もしくは明度などを変更する加工などが適用される。このような構成によれば、右座席のユーザは、左座席のユーザのアプリケーションを実行してしまう領域を、操作前に知ることができる。
【００８０】
また、右用画像内において、重複領域ＲＯまたは領域ＬＡを表示させずに、左用画像内において、識別可能な重複領域ＬＯまたは領域ＲＡを表示させてもよい。このとき、重複領域ＬＯ，ＲＯを操作したと判定された場合には、制御部１４は、運転席側から当該操作が実施されたと判断してもよい。この場合、運転席側からアイコンがシンプルに見えるという効果がある。
【００８１】
＜実施の形態１の変形例４＞
本変形例４に係るタッチパネル３は、ユーザ（運転者及び助手席の同乗者）の指２１などの指示体が検出面に近接した場合（図６）に、指示体との距離が最短となる検出面上の点の位置（Ｘ，Ｙ）と、指示体と検出面との間の距離Ｚとを、指示体の三次元の位置として検出する。距離Ｚ＝０である場合には、指２１がタッチパネル３の検出面に接触（タッチ）していることを意味する。
【００８２】
次に、本変形例４に係る操作入力処理部９について説明する。当該操作入力処理部９は、実施の形態１で説明した判定を行うだけでなく、タッチパネル３の出力信号（指示体の三次元の位置を示す信号）に基づいて、左用アイコンを操作する直前の行為として予め定義された第１行為が実施されたか否かを判定し、その判定結果を制御部１４に出力する。ここでは、操作入力処理部９は、左用アイコンが表示されている際に、タッチパネル３の出力信号が示す距離Ｚが０より大きくかつ予め定められた第１閾値ＺＬ（例えば３〜１０ｃｍ程度）以下になったと判定した場合に、左用アイコンを操作する直前の行為（第１行為）が実施されたと判定する。一方、そうでない場合には、操作入力処理部９は、左用アイコンを操作する直前の行為（第１行為）が実施されなかったと判定する。
【００８３】
同様に、操作入力処理部９は、タッチパネル３の出力信号（指示体の三次元の位置を示す信号）に基づいて、右用アイコンを操作する直前の行為として予め定義された第２行為が実施されたか否かを判定し、その判定結果を制御部１４に出力する。ここでは、操作入力処理部９は、右用アイコンが表示されている際に、タッチパネル３の出力信号が示す距離Ｚが０より大きくかつ予め定められた第２閾値ＺＲ（例えば３〜１０ｃｍ程度）以下になったと判定した場合に、右用アイコンを操作する直前の行為（第２行為）が実施されたと判定する。一方、そうでない場合には、操作入力処理部９は、右用アイコンを操作する直前の行為（第２行為）が実施されなかったと判定する。なお、第１閾値ＺＬ及び第２閾値ＺＲは、互いに異なる値であってもよいし、同じ値であってもよい。
【００８４】
以上の構成において、本変形例４に係る制御部１４は、上述の距離Ｚが０より大きくかつ予め定められた第１閾値ＺＬ以下になったと操作入力処理部９にて判定された場合に、変形例３で説明した図１１（ａ）または図１２（ａ）の左用画像における第１領域を識別可能に表示させてもよい。すなわち、制御部１４は、図８（ａ）及び図８（ｂ）を表示させている際に、左用アイコンを操作する直前の第１行為が実施されたと判定された場合には、左用画像にて、図１１（ａ）に示した識別可能な重複領域ＬＯまたは図１２（ａ）に示した識別可能な領域ＲＡを表示させてもよい。これにより、左用アイコンの機能を実行できない重複領域などについて、左座席のユーザに印象的な通知を行うことができる。
【００８５】
同様に、本変形例４に係る制御部１４は、上述の距離Ｚが０より大きくかつ予め定められた第２閾値ＺＲ以下になったと操作入力処理部９にて判定された場合に、変形例３で説明した図１１（ｂ）または図１２（ｂ）の右用画像における第２領域を識別可能に表示させてもよい。すなわち、制御部１４は、図８（ａ）及び図８（ｂ）を表示させている際に、右用アイコンを操作する直前の第２行為が実施されたと判定された場合には、右用画像にて、図１１（ｂ）に示した識別可能な重複領域ＲＯまたは図１２（ｂ）に示した識別可能な領域ＬＡを表示させてもよい。これにより、右用アイコンの機能を実行できない重複領域などについて、右座席のユーザに印象的な通知を行うことができる。
【００８６】
なお、第１閾値ＺＬ＞第２閾値ＺＲとすると、運転者側の左用画像において重複領域ＬＯなどを早めに表示することになる。これにより、運転席側にて操作するまでの時間を助手席側に比べて長く取ることができ、運転者に余裕を持たせることができることから、運転者側にとって使用勝手が良いものとなる。
【００８７】
また、制御部１４は、指示体と検出面との間の距離Ｚだけでなく、図６に示した指示体の二次元の位置（Ｘ，Ｙ）も考慮することによって、左用アイコンを操作する直前の行為が実施されたのか、右用アイコンを操作する直前の行為が実施されたのかを区別して判定してもよい。例えば、図６に示した指示体の位置（Ｘ，Ｙ，Ｚ）が、左用アイコンを覆うドーム状（半球状）の空間領域内に位置すると操作入力処理部９にて判定された場合には、制御部１４は、当該左用アイコンを操作する直前の第１行為が実施されたと判定してもよい。
【００８８】
また、制御部１４は、左用アイコンを操作する直前の第１行為が実施中であると判定された場合に、重複領域ＬＯまたは領域ＬＡを表示させてもよい。ここで実施中であると判定される第１行為は、実施されたと判定された左用アイコンを操作する直前の第１行為から継続する行為であってもよいし、継続しない行為であってもよい。後者の行為としては、例えば、距離Ｚが第１閾値ＺＬ近傍である状況下で指示体が震えている場合などが考えられる。この場合、検出のタイミングによって判定結果がばらつかないようにするために、距離ＺにＬＰＦ（Low Pass Filter）信号処理補正を施してもよい。また、同様に、制御部１４は、右用アイコンを操作する直前の第２行為が実施中であると判定された場合に、重複領域ＲＯまたは領域ＲＡを表示させてもよい。
【００８９】
また、以上の説明では、制御部１４は、左用アイコンを操作する直前の第１行為が実施されたと判定された場合に、左用アイコンＬ１〜Ｌ５の全てに関して、識別可能な重複領域ＬＯ（図１１（ａ））または識別可能な領域ＲＡ（図１２（ａ））を左用画像に表示させた。しかしこれに限ったものではなく、制御部１４は、第１行為が実施されたと判定された場合に、左用アイコンＬ１〜Ｌ５の少なくともいずれか一つ（例えば指示体に最も近い一つの左用アイコン）に関して、識別可能な重複領域ＬＯ（図１１（ａ））または識別可能な領域ＲＡ（図１２（ａ））を左用画像に表示させてもよい。同様に、制御部１４は、右用アイコンを操作する直前の第２行為が実施されたと判定された場合に、右用アイコンＲ１〜Ｒ５の少なくともいずれか一つ（例えば指示体に最も近い一つの右用アイコン）に関して、識別可能な重複領域ＲＯ（図１１（ｂ））または識別可能な領域ＬＡ（図１２（ｂ））を右用画像に表示させてもよい。また、いずれか一つのアイコンに関して重複領域ＲＯ，ＬＯ、領域ＬＡ，ＲＡを表示するだけでなく、例えば（Ｘ，Ｙ）座標などの指示体の位置から予め定められた距離内、または、当該位置を含む予め定められた範囲内に位置する重複領域ＲＯ，ＬＯ、領域ＬＡ，ＲＡを表示するように構成してもよい。
【００９０】
＜実施の形態１の変形例５＞
本変形例５に係るタッチパネル３は、変形例４と同じであるものとする。
【００９１】
本変形例５に係る操作入力処理部９は、変形例４と同様に、タッチパネル３の出力信号（指示体の三次元の位置を示す信号）に基づいて、タッチパネル３の出力信号が示す距離Ｚが０より大きくかつ予め定められた閾値ＺＴ（例えば３〜１０ｃｍ程度）以下になったか否かを判定し、その判定結果を制御部１４に出力する。
【００９２】
以上の構成において、本変形例５に係る制御部１４は、距離Ｚが予め定められた閾値ＺＴ以下になったと操作入力処理部９にて判定される前には、図１３（ａ）及び図１３（ｂ）に示すように、元アイコン３１（第３アイコン）を、左用画像及び右用画像の両方に表示させる。そして、制御部１４は、距離Ｚが予め定められた閾値ＺＴ以下になったと操作入力処理部９にて判定された場合に、図１４（ａ）及び図１４（ｂ）に示すように、左用アイコンＬ１及び右用アイコンＲ１をスプリットビュー表示部２に表示させる。制御部１４は、左用アイコンＬ１の表示領域と右用アイコンＲ１の表示領域との重複領域に対する操作（タッチ操作）が実施されたと操作入力処理部９と判定された場合には、当該操作を無効にする。
【００９３】
ここで、図１４（ａ）及び図１４（ｂ）に示すように、左用アイコンＬ１及び右用アイコンＲ１の重複領域は、元アイコン３１を含んでいる。そして、左用アイコンＬ１は、元アイコン３１を左座席の方向に延ばした形状を有する平面図形として表示され、右用アイコンＲ１は、元アイコン３１を右座席の方向に延ばした形状を有する平面図形として表示されている。ここで、元アイコン３１の表示領域を除く左用アイコンＬ１の表示領域の全部と、元アイコン３１の表示領域を除く右用アイコンＲ１の表示領域の全部とが、スプリットビュー表示部２の画面上において重なっていない。
【００９４】
このような構成によれば、左座席のユーザは、左用アイコンＬ１のうち元アイコン３１から離れた領域に対して操作を実施することにより、右座席のユーザのアプリケーションを知らないうちに実行することなく、左座席のユーザのアプリケーションを実行することができる。同様に、右座席のユーザは、右用アイコンＲ１のうち元アイコン３１から離れた領域に対して操作を実施することにより、左座席のユーザのアプリケーションを知らないうちに実行することなく、右座席のユーザのアプリケーションを実行することができる。
【００９５】
なお、ここでは、左用アイコンＬ１及び右用アイコンＲ１は平面図形であるものとして説明したが、これに限ったものではない。例えば、左用アイコンＬ１及び右用アイコンＲ１は、元アイコン３１を座面とする立体表示アイコンであってもよい。この場合にも、上述と同様の効果を得ることができる。
【００９６】
＜実施の形態１のその他の変形例＞
タッチパネルを触れる程度が軽いタッチ操作と、触れる程度が強い押し込み操作とを判別できるタッチパネルを、タッチパネル３に適用してもよい。そして、操作入力処理部９は、タッチパネル３からの出力信号に基づいて、アイコンへの軽いタッチ操作が実施されたと判定した場合には、当該タッチ操作は運転席側からの操作であるとして判定し、アイコンへの押し込み操作が実施されたと判定した場合には、当該押し込み操作は助手席側からの操作であると判定してもよい。このような構成にすれば、軽いタッチ操作が運転者の操作として判定されることから、運転者に有利な操作を実現することができる。また、制御部１４は、押し込み操作が必要なアイコンを、表示開始時から立体的に表示するようにしてもよい。また、制御部１４は、押し込み操作が実施されたアイコンの立体形状を、当該押し込み操作に応じて変形させてもよい。また、操作入力処理部９は、押し込み操作ではなくタッチ操作が実施されたと判定された場合に、上述した第１行為が実施されたと判定してもよい。
【００９７】
また、これまでに説明した左用画像及び右用画像（例えば、図８（ａ）及び図８（ｂ）など）においては、左用アイコンＬ１〜Ｌ５のそれぞれの表示領域の一部と、右用アイコンＲ１〜Ｒ５のそれぞれの表示領域の一部とが、スプリットビュー表示部２の画面上において互いに重ねて配置されていた。しかしこれに限ったものではなく、左用アイコンＬ１〜Ｌ５の少なくとも１つの表示領域の一部と、右用アイコンＲ１〜Ｒ５の少なくとも１つの表示領域の一部とが、スプリットビュー表示部２の画面上において互いに重ねて配置されたものであればよい。
【００９８】
以上の説明では、入力部としてタッチパネル３を適用した構成について説明した。しかし、入力部は、アプリケーションの機能を実行するための左用画像に対する操作と、アプリケーションの機能を実行するための右用画像に対する操作とを一律に受け付けるものであればよく、タッチパネル３に限ったものではない。例えば、入力部には、スプリットビュー表示部２と離れて設けられたタッチパッドが適用されてもよい。このとき、タッチパッドには指示体の三次元の位置を求める機能を有し、タッチパッドの操作領域上の指示体の位置を、スプリットビュー表示部２の表示領域に対応付けておき、指示体の位置を示す点やアイコン表示で行ってもよい。
【００９９】
また、以上の説明では、左用アイコン及び右用アイコンにタッチ操作が実施されたか否かが判定されるものであった。しかしこれに限ったものではなく、タッチ操作の代わりに、指示体によりタッチパネル３の検出面に予め定められた軌道を描くジェスチャー操作（例えばフリック操作、ドラッグ操作、及び、ピンチ操作など）が実施されたか否か判定されるものであってもよい。
【０１００】
さらに、スプリットビュー表示部２の画面上において互いに離間する左用アイコン及び右用アイコンに対して操作が実施されたと判定された場合には、制御部１４は、当該操作の種類に関わらず、当該実施されたアイコンの機能を実行してもよい。
【０１０１】
＜表示制御装置をナビゲーション装置以外にも適用した変形例＞
以上で説明した表示制御装置は、車両に備え付けられたナビゲーション装置１だけでなく、車両に搭載可能な、ＰＮＤ（Portable Navigation Device）、及び、携帯端末（例えば携帯電話機、スマートフォン、及びタブレットなど）、並びにサーバなどを適宜に組み合わせてシステムとして構築される表示制御装置にも適用することができる。この場合、以上で説明したナビゲーション装置１の各機能あるいは各構成要素は、前記システムを構築する各機器に分散して配置される。
【０１０２】
例えば、以上の説明では、表示制御装置を、ナビゲーション装置１に適用した構成について説明したが、これに限ったものではなく、ナビゲーション機能を持たないが表示機能を有する所謂ディスプレイオーディオ、ＰＮＤ、携帯端末、設置型の表示装置、及び、サーバのいずれかに適用してもよい。
【０１０３】
また、以上では、スプリットビュー方式の表示部に、ナビゲーション装置１が備えるスプリットビュー表示部２を適用した構成について説明したが、これに限ったものではない。例えば、表示制御装置をスマートフォンに適用する場合には、スマートフォンが備えるスプリットビュー方式の表示部が適用されてもよい。
【０１０４】
なお、本発明は、その発明の範囲内において、実施の形態に各変形例を自由に組み合わせたり、各変形例を適宜、変形、省略したりすることが可能である。
【符号の説明】
【０１０５】
１  ナビゲーション装置、２  スプリットビュー表示部、３  タッチパネル、１４  制御部、２１  指、３１  元アイコン、Ｌ１〜Ｌ５  左用アイコン、Ｒ１〜Ｒ５  右用アイコン。
【図１】
2015108984.tif 000003
【図２】
2015108984.tif 000004
【図３】
2015108984.tif 000005
【図４】
2015108984.tif 000006
【図５】
2015108984.tif 000007
【図６】
2015108984.tif 000008
【図７】
2015108984.tif 000009
【図８】
2015108984.tif 000010
【図９】
2015108984.tif 000011
【図１０】
2015108984.tif 000012
【図１１】
2015108984.tif 000013
【図１２】
2015108984.tif 000014
【図１３】
2015108984.tif 000015
【図１４】
2015108984.tif 000016